(57)【要約】【課題】  ガイドレールが分断されていても開閉可能な吊り戸構造を提供する。【解決手段】  本発明の吊り戸構造は、戸先側レールと、戸尻側レールと、吊り戸と、戸先側吊り具と、戸尻側吊り具と、可動吊り具を備えている。戸先側レールは戸先側吊り具が収まる収容部を備えている。吊り戸は、戸先側吊り具が戸先側レールの収容部に収まっているときには戸先側吊り具、戸尻側吊り具及び可動吊り具によって吊持され、戸先側吊り具が戸尻側レールの収容部に収まっていないときには、戸先側領域を吊持する可動吊り具及び戸尻側領域を吊持する戸尻側吊り具によって吊持される構造である。【選択図】図１
2020100952.tif 000002
【特許請求の範囲】
【請求項１】
吊り具で吊持される吊り戸の構造において、
分断部材によって戸先側と戸尻側に分断された壁部と、当該分断されたえ壁部のうち戸先側の壁部に設けられた戸先側レールと、当該分断された壁部のうち戸尻側の壁部に設けられた戸尻側レールと、前記壁部の下方の出入り口を開閉する吊り戸と、当該吊り戸の戸先側領域に固設された戸先側吊り具と、当該吊り戸の戸尻側領域に固設された戸尻側吊り具と、当該吊り具の戸先側吊り具と戸尻側吊り具の間に設けられた上端側レール内に移動自在に設けられた可動吊り具を備え、
前記戸先側レールは前記戸先側吊り具が収まる収容部を備え、
前記吊り戸は、前記戸先側吊り具が前記戸先側レールの収容部に収まっているときには、当該戸先側吊り具、前記戸尻側吊り具及び可動吊り具によって吊持され、前記戸先側吊り具が前記戸尻側レールの収容部に収まっていないときには、戸先側領域を吊持する可動吊り具及び戸尻側領域を吊持する戸尻側吊り具によって吊持される、
ことを特徴とする吊り戸構造。
【請求項２】
請求項１記載の吊り戸構造において、
戸先側レールは上領域と下領域を備え、
戸先側吊り具が収まる収容部が前記下領域に設けられた、
ことを特徴とする吊り戸構造。
【請求項３】
請求項１又は２記載の吊り戸構造において、
戸先側レールの収容部が分断部材の下端部よりも下側に突出している、
ことを特徴とする吊り戸構造。
【請求項４】
請求項１から請求項３のいずれか１項に記載の吊り戸構造において、
戸先側レールの分断部材側の端部に、吊り戸の戸先側吊り具を当該戸先側レールの収容部内に案内するガイド体が設けられた、
ことを特徴とする吊り戸構造。
【請求項５】
請求項１から請求項４のいずれか１項に記載の吊り戸構造において、
戸先側吊り具及び戸尻側吊り具は回転式の枠側部材と固定式の戸側部材を備えた上回転型吊り具であり、
可動吊り具は回転式の枠側部材と回転式の戸側部材を備えた双方回転型吊り具である、
ことを特徴とする吊り戸構造。
【請求項６】
請求項１から請求項５のいずれか１項に記載の吊り戸構造において、
戸先側レールに吊り戸の閉方向の勢いを減衰するブレーキ装置が設けられた、
ことを特徴とする吊り戸構造。
【発明の詳細な説明】
【技術分野】
【０００１】
本発明は吊下げ式の引き戸（本願において「吊り戸」という）の構造に関する。
【背景技術】
【０００２】
介護施設や病院、一般家庭等（本願において「施設等」という）、介護や介抱が行われる現場では、被介護者や患者（本願において「被介護者等」という）を移動するために、吊下げ走行式のリフト（本願において「移動リフト」という）が使用されることがある。移動リフトの一種として、室内の天井側に設置されたレール（移動用レール）にリフト本体を吊下げ、そのリフト本体を移動用レールに沿って移動させて被介護者等を移動させるものが知られている（特許文献１）。特許文献１の介護用リフトでは、分断された移動用レール間で吊下げベルトを掛け替えることによって、鴨居で仕切られた部屋間を移動することができる。
【先行技術文献】
【特許文献】
【０００３】
【特許文献１】特開平９−５７９号公報
【発明の概要】
【発明が解決しようとする課題】
【０００４】
吊下げベルトを掛け替え可能な設備は高価なものが多く、資金的な理由で導入できない施設等もある。このような施設等では、移動用レールを部屋単位で設置し、その移動用レール間の移動は介護スタッフが被介護者等を抱えて行っている。一般的な被介護者等の体重は数十ｋｇ以上あるため、被介護者等を抱えて移動させるのは、介護スタッフにとって非常に負担が大きい。
【０００５】
戸が開き戸の場合、鴨居などの仕切り（本願において「壁部」という）の一部を切欠き、その切欠き部分に部屋間を貫通する一本の移動用レールを通すことによって前記問題を解決することができるが、戸が吊り戸の場合には、吊り戸用レールが分断されることになり、その分断部分から吊り戸レール内を移動する吊り具が外れて、戸の開閉に支障をきたすおそれがある。
【０００６】
本発明はかかる事情に鑑みてなされたものであり、その解決課題は、壁部に設けられたガイドレールが分断されていても、吊り戸が傾いたり、脱落したりすることなく開閉することができる吊り戸構造を提供することにある。
【課題を解決するための手段】
【０００７】
本発明の吊り戸構造は、戸先側レール、戸尻側レール、吊り戸、戸先側吊り具、戸尻側吊り具及び可動吊り具を備えた構造である。戸先側レールは戸先側吊り具が収まる収容部を備えている。吊り戸は、戸先側吊り具が戸先側レールの収容部に収まっているときには戸先側吊り具、戸尻側吊り具及び可動吊り具によって吊持され、戸先側吊り具が戸尻側レールの収容部に収まっていないときには、戸先側領域を吊持する可動吊り具及び戸尻側領域を吊持する戸尻側吊り具によって吊持されるようにしてある。
【発明の効果】
【０００８】
本発明の吊り戸構造は、吊り戸の幅方向の中心よりも戸先側の領域（本願において「戸先側領域」という）が、戸先側吊り具と可動吊り具の双方又は可動吊り具で吊持され、幅方向の中心よりも戸尻側の領域（本願において「戸尻側領域」という）が戸尻側吊り具で吊持されるようにしてあるため、ガイドレールが分断されていても、吊り戸が不用意に傾いたり、脱落したりすることがない。
【図面の簡単な説明】
【０００９】
【図１】（ａ）は本発明の吊り戸構造における吊り戸が閉じた状態を示す斜視図、（ｂ）は本発明の吊り戸構造における吊り戸が開いた状態を示す斜視図。
【図２】（ａ）は全閉状態の吊り戸の部分拡大図、（ｂ）は全開状態の吊り戸の部分拡大図。
【図３】（ａ）は戸先側レールに設けられたガイド体の説明図、（ｂ）は戸先側レールと戸先側吊り具の位置関係の説明図。
【図４】吊り戸の上端部の詳細説明図。
【図５】（ａ）は可動吊り具の説明図、（ｂ）は戸尻側吊り具の説明図。
【図６】（ａ）は戸先側吊り具の一例を示す斜視図、（ｂ）は（ａ）の分解斜視図。
【図７】（ａ）は戸先側吊り具の調整棒とストップピースの説明図、（ｂ）はストップピースの脚部の説明図。
【図８】（ａ）〜（ｃ）はベースブラケットの高さ調整手順の説明図。
【図９】（ａ）は可動吊り具の一例を示す斜視図、（ｂ）は（ａ）の分解斜視図。
【図１０】（ａ）は戸尻側吊り具の一例を示す斜視図、（ｂ）は（ａ）の分解斜視図。
【図１１】（ａ）は吊り戸が完全に閉じた状態の正面図、（ｂ）は（ａ）の部分拡大図。
【図１２】（ａ）は戸先側吊り具が戸先側レールの下領域から離脱した状態の正面図、（ｂ）は（ａ）の部分拡大図。
【図１３】（ａ）は戸側ブロックが可動吊り具の突き当て具に突き当たった状態の正面図、（ｂ）は（ａ）の部分拡大図。
【図１４】（ａ）は吊り戸が完全に開いた状態の正面図、（ｂ）は（ａ）の部分拡大図。
【図１５】（ａ）は吊り戸が完全に開いた状態の正面図、（ｂ）は（ａ）の部分拡大図。
【図１６】（ａ）は可動吊り具の突き当て具が壁側ブロックに突き当たった状態の正面図、（ｂ）は（ａ）の部分拡大図。
【図１７】（ａ）は戸先側吊り具の枠側部材が戸先側レールの下領域に収まった状態の正面図、（ｂ）は（ａ）の部分拡大図。
【図１８】（ａ）は吊り戸が完全に閉じた状態の正面図、（ｂ）は（ａ）の部分拡大図。
【発明を実施するための形態】
【００１０】
（実施形態）
本発明の吊り戸構造の一例を、図面を参照して説明する。図１（ａ）（ｂ）及び図２（ａ）（ｂ）において、１は壁部、２は吊り戸レール、３は吊り戸、４は上端側レール、５は介護リフト用の移動レール（分断部材）、６は戸先側吊り具、７は可動吊り具、８は戸尻側吊り具である。
【００１１】
前記壁部１は部屋と部屋とを仕切る壁である。図１（ａ）（ｂ）及び図２（ａ）（ｂ）に示すように、この実施形態の壁部１は、移動レール５によって、移動レール５よりも戸先側の戸先側壁部１ａと、移動レール５よりも戸尻側の戸尻側壁部１ｂとに分断されている。壁部１の下側には前記吊り戸レール２が設けられている。
【００１２】
前記吊り戸レール２は、吊り戸３を吊持する各吊り具６、７、８が走行するガイドレールである。なお、本願における「吊持」とは吊り下げて保持することをいい、各吊り具が吊り戸３に固定されているか否かを問わない。この実施形態の吊り戸レール２は、戸先側壁部１ａに設けられた戸先側レール２ａと、戸尻側壁部１ｂに設けられた戸尻側レール２ｂとで構成されている。戸先側レール２ａは戸先側壁部１ａの略全長に亘って設けられ、戸尻側レール２ｂは戸尻側壁部１ｂの略全長に亘って設けられている。戸先側レール２ａと戸尻側レール２ｂは同一直線状に設置されている。戸先側レール２ａには凹陥状のガイド溝２ｃが、戸尻側レール２ｂには凹陥状のガイド溝２ｄが設けられている。
【００１３】
この実施形態の戸先側レール２ａは、凹陥状のガイド溝２ｃを備えた端面視下向きＵ字状の長尺部材である。図３（ａ）（ｂ）に示すように、戸先側レール２ａの両縦面２ｅの中段位置には内向きに突出する突条２ｆが設けられている。この実施形態のガイド溝２ｃは、突条２ｆの上側の領域（本願において「上領域」という）２ｇと下側の領域（本願において「下領域」という）２ｈの二つの領域から構成されている。ガイド溝２ｃのうち、上領域２ｇには吊り戸３の閉方向への勢いを減衰するブレーキ装置１２（図２（ａ）（ｂ）参照）が、下領域２ｈには後述する戸先側吊り具６の枠側部材６１が収まる（収容部として機能する）ようにしてある。上領域２ｇと下領域２ｈは連通している。下領域２ｈの移動レール５側の端部には、戸先側吊り具６の一部を下領域２ｈ内に案内するガイド体１３が設けられている。この実施形態では、ガイド溝２ｃの下領域２ｈに収容部が設けられた場合を一例としているが、ガイド溝２ｃは上領域２ｇと下領域２ｈに分かれていなくてもよく、この場合は、両縦面２ｅの間の空間が収容部として機能する。
【００１４】
図３（ａ）（ｂ）に示すように、この実施形態のガイド体１３は、戸先側レール２ａの表面に取り付けられた表側部材１３ａと、戸先側レール２ａの裏面側に取り付けられた裏側部材１３ｂを備えている。表側部材１３ａ及び裏側部材１３ｂは、戸先側レール２ａの移動レール５側の端部よりも外側に突出する部分が外広がりに湾曲しており、当該湾曲部分の端部間に幅広の導入口１３ｃが形成されている。外広がりの導入口１３ｃを設けることによって、戸先側吊り具６を下領域２ｈに確実に案内することができる。ガイド体１３は、戸先側吊り具６を下領域２ｈに導入しやすい形状であればこれ以外の構造とすることもできる。ガイド体１３は省略することもできる。
【００１５】
戸先側レール２ａの上領域２ｇには前記ブレーキ装置１２（図２（ａ）（ｂ）参照）が装備されている。なお、この実施形態では、戸先側レール２ａの突条２ｆと移動レール５の下端が同じ又は略同じ位置となるようにしてあり、戸先側レール２ａのうち下領域２ｈの部分が移動レール５の下端よりも下側に突出するようにしてある。
【００１６】
前記戸尻側レール２ｂは、端面視下向きＵ字状の長尺部材である。図２（ａ）（ｂ）に示すように、戸尻側レール２ｂのガイド溝２ｄのうち、移動レール５側の端部には、直方体状の壁側ブロック９が設けられている。壁側ブロック９には磁石（図示しない）が設けてある。磁石を設ける代わりに、磁性を備えた材料で壁側ブロック９を構成することもできる。壁側ブロック９には、磁石以外の吸着手段を設けることもできる。この実施形態の壁側ブロック９は可動吊り具７の移動を停止させるストッパーとしての役割を果たすものである。
【００１７】
前記吊り戸３は部屋間の壁部１の下方に設けられた出入り口Ｘを開閉するためのものである。一例として図１（ａ）（ｂ）に示す吊り戸３は縦長方形状であるが、吊り戸３は横長方形状であってもよい。図４及び図５（ａ）（ｂ）に示すように、吊り戸３の上部には上端側レール４が設けられている。上端側レール４は吊り戸レール２と対向する位置に設けてある。上端側レール４は吊り戸３の中心付近に設けられており、上端側レール４よりも戸先側には戸先側吊り具６が、上端側レール４よりも戸尻側には、戸尻側吊り具８及び吊り戸３自閉用のゼンマイユニット１０が設けられている。上端側レール４には、可動吊り具７の戸側部材７２が収まる凹陥状のガイド溝４ｘが設けられている。
【００１８】
前記ガイド溝４ｘには直方体状の戸側ブロック１１が固設されている。戸側ブロック１１には図示しない磁石が設けてある。壁側ブロック９と同様、磁石を設ける代わりに、磁性を備えた材料で戸側ブロック１１を構成することもできる。この実施形態の戸側ブロック１１は上端側レール４の戸先側の端部に固定されている。戸側ブロック１１は、可動吊り具７の戸側部材７２を吊り戸３が開く方向（本願において「開方向」という）に押す押し具の役割を果たすものである。
【００１９】
図６（ａ）（ｂ）にこの実施形態の戸先側吊り具６を示す。図６（ａ）（ｂ）において、６１は枠側部材、６２は戸側部材である。この実施形態の戸先側吊り具６は、枠側部材６１に回転ローラー（上ローラー６１ｂ）が設けられ、戸側部材６２に固定具（埋設ケース６２ａ）が設けられた上回転型吊り具である。
【００２０】
前記枠側部材６１は、枠側ブラケット６１ａと上ローラー６１ｂと突き当て具６１ｃを備えている。枠側ブラケット６１ａは、断面視上向きＵ字状の部材であり、対向する両側面間に二つの上ローラー６１ｂが間隔をあけて軸支されている。枠側ブラケット６１ａの長手方向両端側には、ネジ孔６１ｄを備えた止め片６１ｅが設けられている。一方の止め片６１ｅのネジ孔６１ｄには、突き当て具６１ｃ及び前記戸側部材６２のベースブラケット６２ｆとの固定に用いる固定ネジＢ２が螺合され、他方の止め片６１ｅのネジ孔６１ｄには、ベースブラケット６２ｆとの固定に用いる固定ネジＢ３が螺合される。枠側ブラケット６１ａは前記戸側部材６２の内ケース６２ｂ内に収容され、後述する可動ピン６２ｄによって内ケース６２ｂに連結されている。
【００２１】
前記戸側部材６２は、埋設ケース６２ａと、内ケース６２ｂと、調整棒６２ｃと、可動ピン６２ｄと、ストップピース６２ｅと、ベースブラケット６２ｆを備えている。埋設ケース６２ａは断面視上向きＵ字状の部材であり、対向する立ち上がり面の上端には内向きに突出する係止部６２ｇが設けられている。図４に示すように、埋設ケース６２ａは、固定ネジＢ１によって吊り戸３の戸先側の端部に埋設固定されている。
【００２２】
前記内ケース６２ｂは前後及び左右に立設面を備えた上面開口の部材であり、対向する両側面の後端寄りの位置には、両端部が弧状の横長孔６２ｈが形成されている。両横長孔６２ｈの間には、雌ネジ孔６２ｉを備えた筒状の可動ピン６２ｄが配置されている。内ケース６２ｂの対向する前後面には、前記調整棒６２ｃを挿通する挿通孔６２ｊが設けられている。
【００２３】
前記調整棒６２ｃは、皿状の頭部と雄ネジを有する軸部を備えた部材であり、軸部の途中には四つの偏平面６２ｋが設けられている。調整棒６２ｃは内ケース６２ｂの前端面の挿通孔６２ｊ−可動ピン６２ｄの雌ネジ孔６２ｉ−後端面の挿通孔６２ｊの順に挿入され、後端面の挿通孔６２ｊを通過した先端側にナットＮ１が締結されている。ナットＮ１の締結により、調整棒６２ｃが不用意に脱落するのが防止される。
【００２４】
図７（ａ）（ｂ）に示すように、調整棒６２ｃの偏平面６２ｋが設けられた部分には、門型のストップピース６２ｅが嵌合され、調整棒６２ｃが不用意に回転しないように保持されている。ストップピース６２ｅの脚部６２ｍは、調整棒６２ｃの偏平面６２ｋに当接するときには間隔が狭くなり、偏平面６２ｋの隙間の筒状部６２ｎに当接するときには間隔が広くなるように、幅方向（図７（ｂ）の矢印方向）に弾性変形するようにしてある。ストップピース６２ｅは、その上辺部６２ｐの両端が内ケース６２ｂの両側面に形成された嵌合凹部６２ｒに嵌合して前後方向に移動しないようにしてある。
【００２５】
前記ベースブラケット６２ｆは、断面視下向きＵ字状の部材であり、対向する両側面には両端部弧状の横長孔６２ｓが設けられている。両横長孔６２ｓは、両側面の上辺及び下辺に対して斜めに形成されている。ベースブラケット６２ｆの上面は枠側ブラケット６１ａを載せる載せ部であり、その長手方向一端側には突き当て具６１ｃ及び枠側ブラケット６１ａの固定に用いる固定ネジＢ２が螺合するネジ孔６２ｔが、他端側には枠側ブラケット６１ａの固定に用いる固定ネジＢ３が螺合するネジ孔６２ｔが設けられている。
【００２６】
図８（ａ）〜（ｃ）に示すように、この実施形態の戸先側吊り具６は、調整棒６２ｃを正逆方向に回転させることによって、ベースブラケット６２ｆの高さ調整をすることができる。図８（ａ）は可動ピン６２ｄが内ケース６２ｂの横長孔６２ｈ及びベースブラケット６２ｆの横長孔６２ｓの一番奥に位置した状態を示すもの、図８（ｂ）は可動ピン６２ｄが内ケース６２ｂの横長孔６２ｈ及びベースブラケット６２ｆの横長孔６２ｓの中間付近に位置した状態を示すもの、図８（ｃ）は可動ピン６２ｄが内ケース６２ｂの横長孔６２ｈ及びベースブラケット６２ｆの横長孔６２ｓの一番手前に位置した状態を示すものである。調整棒６２ｃを反時計回りに回すと可動ピン６２ｄが移動してベースブラケット６２ｆは下降し、調整棒６２ｃを時計回りに回すと可動ピン６２ｄが移動してベースブラケット６２ｆは上昇するように構成されている。
【００２７】
図９（ａ）（ｂ）にこの実施形態の可動吊り具７を示す。図９（ａ）（ｂ）において、７１は枠側部材、７２は戸側部材、７３は連結部材である。この実施形態の可動吊り具７は、枠側部材７１と戸側部材７２の双方に回転ローラー（上ローラー７１ｂ及び下ローラー７２ｂ）が設けられた双方回転型吊り具である。
【００２８】
前記枠側部材７１は枠側ブラケット７１ａと、枠側ブラケット７１ａに間隔をあけて設けられた二つの上ローラー７１ｂを備えている。枠側ブラケット７１ａの長手方向両端にはネジ孔７１ｃを備えた止め片７１ｄが設けられている。止め片７１ｄは、枠側部材７１と連結部材７３とを連結する際にＬ字状の突き当て具７１ｅを固定する部分である。
【００２９】
前記戸側部材７２は戸側ブラケット７２ａと戸側ブラケット７２ａに間隔をあけて設けられた二つの下ローラー７２ｂを備えている。戸側ブラケット７２ａに設けられた両下ローラー７２ｂの間には、接続ボルト７３ａを挿通するための挿通孔７２ｃが設けられている。
【００３０】
前記連結部材７３は、接続ボルト７３ａと接続ボルト７３ａを吊る吊りブラケット７３ｂと接続ボルト７３ａを抑える押さえ具７３ｃを備えている。吊りブラケット７３ｂの長手方向両端にはネジ孔７３ｄを備えた止め片７３ｅが設けられている。接続ボルト７３ａはその頭部と軸部の付け根部分が吊りブラケット７３ｂのセット凹部７３ｆにセットされ、その接続ボルト７３ａの上側に押さえ具７３ｃが被せられて固定ネジＢ４で固定されていることによって、吊りブラケット７３ｂと押さえ具７３ｃで保持されている。固定ネジＢ４は吊りブラケット７３ｂの固定片７３ｇのネジ孔７３ｈに螺合される。
【００３１】
枠側部材７１と連結部材７３は、枠側ブラケット７１ａの止め片７１ｄ、吊りブラケット７３ｂの止め片７３ｅ及びＬ字状の突き当て具７１ｅが固定ネジＢ５で固定されることによって連結されている。また、戸側部材７２と連結部材７３は、戸側ブラケット７２ａの挿通孔７２ｃに差し込まれた接続ボルト７３ａの先端側にナットＮ２が締結されることによって連結されている。
【００３２】
図１０（ａ）（ｂ）にこの実施形態の戸尻側吊り具８を示す。図１０（ａ）（ｂ）において、８１は枠側部材、８２は戸側部材、８３は連結部材である。この実施形態の戸尻側吊り具８は、枠側部材８１に回転ローラー（上ローラー８１ｂ）が設けられ、戸側部材８２に固定具（固定プレート８２ａ）が設けられた上回転型吊り具である。
【００３３】
前記枠側部材８１は、枠側ブラケット８１ａと、枠側ブラケット８１ａに間隔をあけて設けられた二つの上ローラー８１ｂを備えている。枠側ブラケット８１ａの長手方向両端にはネジ孔８１ｃを備えた止め片８１ｄが設けられている。止め片８１ｄは、枠側部材８１と連結部材８３とを連結する際に、固定ネジＢ６を固定する部分である。
【００３４】
前記戸側部材８２は横長方形状の固定プレート８２ａとその固定プレート８２ａの底面側に固定された固定ナット８２ｂで構成されている。固定プレート８２ａには接続ボルト８３ａを挿通可能な挿通孔８２ｃが設けられ、その挿通孔８２ｃと連通する位置に固定ナット８２ｂが設けられている。固定プレート８２ａは戸尻側吊り具８を吊り戸３に固定する際に吊り戸３の上端面にあてがう部材である。固定プレート８２ａは、固定ネジＢ７によって吊り戸３の上端面に固定される。
【００３５】
前記連結部材８３は、接続ボルト８３ａと接続ボルト８３ａを吊る吊りブラケット８３ｂと接続ボルト８３ａを抑える押さえ具８３ｃを備えている。吊りブラケット８３ｂの長手方向両端にはネジ孔８３ｄを備えた止め片８３ｅが設けられている。接続ボルト８３ａはその頭部と軸部の付け根部分が吊りブラケット８３ｂのセット凹部８３ｆにセットされており、その接続ボルト８３ａの上側に押さえ具８３ｃが被せられて固定ネジＢ８で固定されている。固定ネジＢ８は吊りブラケット８３ｂの固定片８３ｇのネジ孔８３ｈに螺合される。
【００３６】
前記枠側部材８１と連結部材８３は、枠側ブラケット８１ａの止め片８１ｄと吊りブラケット８３ｂの止め片８３ｅが固定ネジＢ６で固定されることによって連結されている。戸側部材８２と連結部材８３は、固定プレート８２ａの挿通孔８２ｃを通過した接続ボルト８３ａの先端が当該固定プレート８２ａに設けられた固定ナット８２ｂにねじ込まれることによって連結されている。
【００３７】
［吊り戸を開く際の動作］
（１）全閉状態にある吊り戸３（図１１（ａ）（ｂ））を開方向へ移動させると、戸先側吊り具６が戸先側レール２ａの下領域２ｈから離脱する（図１２（ａ）（ｂ））。
（２）上記（１）の状態でさらに吊り戸３を開方向へ移動させると、上端側レール４に設けられた戸側ブロック１１が可動吊り具７の戸側部材７２に突き当たり（図１３（ａ）（ｂ））、戸尻側レール２ｂの壁側ブロック９に磁着した可動吊り具７の枠側部材７１が当該壁側ブロック９から離れて、全開位置まで移動する（図１４（ａ）（ｂ））。
【００３８】
上記吊り戸３を開く動作では、吊り戸３を開く途中で戸先側吊り具６を戸先側レール２ａから離脱させるが、戸先側吊り具６が戸先側レール２ａから離脱する前に、戸先側領域３ａが可動吊り具７で吊持され、戸尻側領域３ｂが戸尻側吊り具８で吊持されるため、吊り戸３が不用意に傾いたり、脱落したりすることがない。
【００３９】
［吊り戸を閉じる際の動作］
（１）全開状態にある吊り戸３（図１５（ａ）（ｂ））を閉方向へ移動させると、可動吊り具７の枠側部材７１の突き当て具７１ｅが戸尻側レール２ｂの壁側ブロック９に突き当たり（図１６（ａ）（ｂ））、枠側部材７１が壁側ブロック９に磁着する。
（２）上記（１）の状態でさらに吊り戸３を閉方向へ移動させると、上端側レール４の戸側ブロック１１に磁着していた可動吊り具７の戸側部材７２が当該戸側ブロック１１から離される（図１７（ａ）（ｂ））とともに、戸先側吊り具６の枠側部材６１が戸先側レール２ａの下領域２ｈに収まり、吊り戸３が全閉位置まで移動する（図１８（ａ）（ｂ））。
【００４０】
上記吊り戸３を閉じる動作では、戸尻側領域３ｂが戸尻側吊り具８で常時吊持されていることに加えて、戸先側吊り具６が戸先側レール２ａの下領域２ｈに収まるまでは可動吊り具７によって、戸先側吊り具６が戸先側レール２ａの下領域２ｈに収まった後は戸先側吊り具６及び可動吊り具７によって戸先側領域３ａが吊持されるため、吊り戸３が不用意に傾いたり、脱落したりすることがない。
【産業上の利用可能性】
【００４１】
本発明の吊り戸構造は、介護施設や病院等の施設、一般家庭など、レール式の移動装置（例えば、介護リフト）を設置する場合などに特に適する構造である。
【符号の説明】
【００４２】
１      壁部
１ａ    戸先側壁部
１ｂ    戸尻側壁部
２      吊り戸レール
２ａ    戸先側レール
２ｂ    戸尻側レール
２ｃ    ガイド溝
２ｄ    ガイド溝
２ｅ    両縦面
２ｆ    突条
２ｇ    上領域
２ｈ    下領域
３      吊り戸
３ａ    戸先側領域
３ｂ    戸尻側領域
４      上端側レール
４ｘ    ガイド溝
５      移動レール（分断部材）
６      戸先側吊り具
６１    枠側部材
６１ａ  枠側ブラケット
６１ｂ  上ローラー
６１ｃ  突き当て具
６１ｄ  ネジ孔
６１ｅ  止め片
６２    戸側部材
６２ａ  埋設ケース
６２ｂ  内ケース
６２ｃ  調整棒
６２ｄ  可動ピン
６２ｅ  ストップピース
６２ｆ  ベースブラケット
６２ｇ  係止部
６２ｈ  横長孔
６２ｉ  雌ネジ孔
６２ｊ  挿通孔
６２ｋ  偏平面
６２ｍ  脚部
６２ｎ  筒状部
６２ｐ  上辺部
６２ｒ  嵌合凹部
６２ｓ  横長孔
６２ｔ  ネジ孔
７      可動吊り具
７１    枠側部材
７１ａ  枠側ブラケット
７１ｂ  上ローラー
７１ｃ  ネジ孔
７１ｄ  止め片
７１ｅ  突き当て具
７２    戸側部材
７２ａ  戸側ブラケット
７２ｂ  下ローラー
７２ｃ  挿通孔
７３    連結部材
７３ａ  接続ボルト
７３ｂ  吊りブラケット
７３ｃ  押さえ具
７３ｄ  ネジ孔
７３ｅ  止め片
７３ｆ  セット凹部
７３ｇ  固定片
７３ｈ  ネジ孔
８      戸尻側吊り具
８１    枠側部材
８１ａ  枠側ブラケット
８１ｂ  上ローラー
８１ｃ  ネジ孔
８１ｄ  止め片
８２    戸側部材
８２ａ  固定プレート
８２ｂ  固定ナット
８２ｃ  挿通孔
８３    連結部材
８３ａ  接続ボルト
８３ｂ  吊りブラケット
８３ｃ  押さえ具
８３ｄ  ネジ孔
８３ｅ  止め片
８３ｆ  セット凹部
８３ｇ  固定片
８３ｈ  ネジ孔
９      壁側ブロック
１０    ゼンマイユニット
１１    戸側ブロック
１２    ブレーキ装置
１３    ガイド体
１３ａ  表側部材
１３ｂ  裏側部材
１３ｃ  導入口
Ｂ１〜Ｂ８    固定ネジ
Ｎ１〜Ｎ２    ナット
Ｘ      出入り口
【図１】
2020100952.tif 000003
【図２】
2020100952.tif 000004
【図３】
2020100952.tif 000005
【図４】
2020100952.tif 000006
【図５】
2020100952.tif 000007
【図６】
2020100952.tif 000008
【図７】
2020100952.tif 000009
【図８】
2020100952.tif 000010
【図９】
2020100952.tif 000011
【図１０】
2020100952.tif 000012
【図１１】
2020100952.tif 000013
【図１２】
2020100952.tif 000014
【図１３】
2020100952.tif 000015
【図１４】
2020100952.tif 000016
【図１５】
2020100952.tif 000017
【図１６】
2020100952.tif 000018
【図１７】
2020100952.tif 000019
【図１８】
2020100952.tif 000020